【事件の表示】
　平成　４年特許願第２２７８５１号「パチンコ機の図柄表示装置」拒絶査定不服審判事件〔平成　６年　３月　１日出願公開、特開平　６−　５４９５１〕について、次のとおり審決する。
【結　論】
　本件審判の請求は、成り立たない。
【理　由】
【１】手続の経緯及び本願発明 
　本願は、平成４年８月５日の出願であって、平成１３年１０月５日に拒絶査定がなされ、これに対し、平成１３年１１月２９日に拒絶査定に対する審判請求がなされ、同年１２月１８日付けで手続補正がなされたものであり、その請求項１に係る発明（以下、「本願発明」という。）は、平成１３年１２月１８日付け手続補正書により補正された明細書及び図面の記載からみて、特許請求の範囲の請求項１に記載された事項により特定されるものと認められるところ、その請求項１に記載された発明は以下のとおりである。
「【請求項１】複数の図柄表示部と、図柄変動を開始するための入賞検出手段と、各図柄表示部における高速、中速及び低速の各変動時間を設定する変動時間設定手段とを備え、停止表示された各図柄が特定の組合せになると特定遊技価値が付与されるパチンコ機の図柄表示装置において、図柄変動中または特定遊技価値付与中における前記入賞検出手段よりの信号を計数して記憶する入賞数記憶手段と、前記入賞数記憶手段が記憶している記憶数が所定数であることを判定して前記各図柄表示部の変動時間を短時間に変更する変動時間短縮手段と、変動停止時に前記図柄表示部に表示すべき図柄を予め決定し、高速変動から中速変動に切り換える際に、変動停止時に前記表示すべき図柄よりも所定数前の図柄となるように表示指標の切換を行う表示指標切換手段とを設けたことを特徴とするパチンコ機の図柄表示装置。」
　　　
【２】引用例に記載の発明
１．これに対して、原査定の拒絶の理由に引用され、本願出願前に日本国内において頒布された刊行物である特開平４−１３５５８６号公報（以下、「引用例」という。）には、以下の事項が図面とともに記載されている。
（ア）「複数種類の識別情報が可変表示可能な可変表示装置を含み、該可変表示装置の表示結果が予め定められた特定の識別情報になった場合に所定の遊技価値を付与可能な状態にする弾球遊技機であって、打玉の入賞により前記可変表示装置を可変表示させるように定められた始動入賞領域と、該始動入賞領域に入賞した入賞玉を検出する始動入賞玉検出手段と、該始動入賞玉検出手段の検出出力に基づいて前記可変表示装置を可変表示させ、予め決められた可変表示時間の経過に基づいて前記可変表示装置を停止制御する可変表示制御手段とを含み、該可変表示制御手段は、前記可変表示装置の可変表示中に前記始動入賞玉検出手段の検出出力が導出された場合に、前記可変表示時間を短縮して早期に停止制御を行なうことが可能な表示時間短縮手段を含むことを特徴とする、弾球遊技機。」（第１頁左下第５行〜同頁右下欄第２行）
（イ）「第１図は、パチンコ遊技機における遊技領域に配設された各種機器や装置を示す正面図である。遊技領域223には図示しない打球装置によりパチンコ玉が１つずつ打込まれる。この遊技領域223には、複数種類の識別情報が可変表示可能な可変表示装置１が設けられている。また、遊技領域223の下方位置には、開閉板51が開閉することにより打玉が入賞しやすい遊技者にとって有利な第１の状態と打玉が入賞しにくいまたは入賞しない遊技者にとって不利な第２の状態とに変化する可変入賞球装置３と、始動入賞口9b、9cとが一体的に設けられている。」（第２頁右下欄第１７行〜第３頁左上欄第８行）
（ウ）「遊技領域223に打込まれたパチンコ玉が始動入賞口9a、9b、9cのいずれかに入賞すれば、始動入賞玉検出器11a、11b、11cのうちの対応する始動入賞玉検出器により検出され、その検出出力に基づいて前記可変入賞球装置１が可変表示を開始する。この可変入賞球装置１は、左図柄，中図柄，右図柄の３つの図柄をそれぞれ可変表示する可変表示器1a、1b、1cを含み、前記始動入賞口9a、9b、9cへのパチンコ玉の入賞に伴ってすべての可変表示器1a、1b、1cが一斉に可変表示を開始し、予め決められた可変表示時間の経過によりまず向かって左の図柄が停止され、さらに所定時間経過した後に中央の図柄が停止され、さらに所定時間経過した後に右の図柄が停止される。」（第３頁左上欄第１３行〜同頁右上欄第７行）
（エ）「可変表示器1a、1b、1cは、０〜９の10種類の数字を可変表示するものであり、可変表示装置１の表示結果が、第１図に示す横３行および斜め対角線上に２列の合計５列のライン上にたとえば777が揃えば大当り状態となり、ソレノイド16が励磁されて開閉板51が開成される。」（第３頁左下欄第７〜１２行）
（オ）「可変表示装置１が可変表示中などにパチンコ玉が始動入賞口9a、9b、9cに入賞すればその始動入賞が一旦記憶されるのであり、その記憶値が始動入賞記憶表示器５により表示される。その始動入賞の記憶の上限値はたとえば「４」に定められている。可変表示装置１が可変表示中に始動入賞が発生した場合であっても、その始動入賞が記憶されてその記憶値に基づいて可変表示装置が可変表示される。」（第３頁右下欄第１３行〜第４頁左上欄第１行）
（カ）「まず、パチンコ玉が始動入賞口9a、9b、9cに入賞すればその入賞玉が始動入賞玉検出器11a、11b、11cにより検出されその検出信号が検出回路７０を介してマイクロコンピュータ６０に与えられる。」（第５頁左上欄第１〜５行）
（キ）「マイクロコンピュータ60は、後述するように、パチンコ玉の始動入賞のタイミングに基づいて可変表示装置の停止時の表示結果が予め定める特定の識別情報になるように表示制御するか否かを決定し、それに基づいて可変表示装置の表示制御信号を導出する。」（第５頁右上欄第１３〜１８行）
（ク）「第3C図は、第3B図のS24により示したチェック処理のサブルーチンプログラムを示すフローチャートである。まず、S27により、始動入賞スイッチＡ（始動入賞玉検出器11a）がONになっているか否の判断がなされる。そしてパチンコ玉が始動入賞口9a（第１図参照）に入賞すれば、S27によりYESの判断がなされ、S29に進み、始動入賞スイッチＡチェックカウンタが最大か否かの判断がなされる。その始動入賞スイッチＡチェックカウンタは、この始動入賞スイッチＡチェックサブルーチンプログラムが実行される毎にS32より「１」ずつ加算されるものであり、その最大値はたとえば「255」である。そして未だに最大に達していない場合にはS30に進み、始動入賞スイッチＡチェックカウンタが「１」にインクリメントされ、S31に進み、始動入賞スイッチＡチェックカウンタ＝「２」であるか否かの判断がなされる。そして未だに「２」に達していない場合にはそのままサブルーチンプログラムが終了するが、「２」に達している場合にはS32に進み、始動入賞記憶カウンタ＝「４」であるか否かの判断がなされる。始動入賞カウンタの上限値が「４」であるため、すでにその上限値である「４」に達している場合にはそのままサブルーチンプログラムが終了するが、未だに「４」に達していない場合にはS33に進み、始動入賞が発生したことに伴う始動入賞記憶カウンタの「１」の加算処理がなされる。・・・・次にS37では、始動入賞記憶カウンタの値≧２であるか否かの判断がなされる。この始動入賞記憶カウンタは、前記S33により「１」ずつインクリメントされ、可変表示装置が可変表示される毎に「１」ずつデクリメントされる（S48参照）。そのために、可変表示装置が可変表示中に２個以上パチンコ玉が始動入賞すればS37によりYESの判断がなされてS40に進む。・・・・要するに、始動入賞記憶カウンタの値が「０」のときに始動入賞があった場合には、可変表示中でかつ基本タイマーの残り時間が２秒以上のときに短縮時間データが記憶され、可変表示中でない場合または可変表示中であっても基本タイマーの残り時間が２秒未満の場合には通常時間データが記憶される。一方、始動入賞記憶カウンタの値が１〜３のときに始動入賞が行なわれた場合には必ず短縮時間データが記憶される。」（第７頁右上欄第６行〜第８頁右上欄第４行）
　　　
　以上の記載から、「引用例」には、以下の発明（以下、「引用発明」という。）が記載されているものと認められる。 
＜引用発明＞
「可変表示装置１は、複数種類の識別情報を可変表示する可変表示器１ａ、１ｂ、１ｃを含み、可変表示制御手段は、パチンコ玉が始動入賞口９ａ、９ｂ、９ｃに入賞し、始動入賞玉検出器１１ａ、１１ｂ、１１ｃが入賞を検出し検出信号が与えられると、前記可変表示装器１ａ、１ｂ、１ｃに可変表示を開始させ、始動入賞のタイミングに基づいて可変表示装置１の停止時の表示結果を定め、予め決められた可変表示時間の経過に基づいて可変表示を停止させ、該表示結果が特定の識別情報になった場合に所定の遊技価値を付与するものであり、前記可変表示装置１の可変表示中に前記始動入賞玉検出器１１ａ、１１ｂ、１１ｃが入賞を検出すると始動入賞記憶カウンタにカウント値を加算して記憶させ、カウント値が２以上と判断されると、可変表示時間を短縮して早期に停止制御を行う表示時間短縮手段を含む、弾球遊技機。」
　　
【３】対比・判断 
１．本願発明と引用発明との対比 
　本願発明と引用発明とを対比すると、引用発明の「可変表示器１ａ、１ｂ、１ｃ」、「可変表示を開始」、「始動入賞玉検出器１１ａ、１１ｂ、１１ｃ」、「可変表示時間」、「予め決められた」、「停止させ、該表示結果」、「特定の識別情報」、「所定の遊技価値」、「弾球遊技機」、「可変表示装置１」、「可変表示中」、「検出信号」、「加算して記憶」、「始動入賞記憶カウンタ」、「カウント値が２以上と判断されると」、「可変表示時間を短縮」、「表示時間短縮手段」、「可変表示装置１の停止時の表示結果」、「始動入賞のタイミングに基づいて・・・定め」が、本願発明の「複数の図柄表示部」、「図柄変動を開始」、「入賞検出手段」、「可変表示時間」、「設定する」、「停止表示された各図柄」、「特定の組合せ」、「特定遊技価値」、「パチンコ機」、「図柄表示装置」、「図柄変動中」、「信号」、「計数して記憶」、「入賞数記憶手段」、「記憶数が所定数であることを判定して」、「変動時間を短時間に変更」、「変動時間短縮手段」、「変動停止時に前記図柄表示部に表示すべき図柄」、「予め決定し」にそれぞれ相当する。
　また、引用発明の「可変表示制御手段」は、予め決められた可変表示時間の経過に基づいて可変表示を停止させる点で、本願発明の「変動時間設定手段」と同一の機能をも有するものである。
　　　　
してみると、引用発明と本願発明とは
　　　　
「複数の図柄表示部と、図柄変動を開始するための入賞検出手段と、各図柄表示部における変動時間を設定する変動時間設定手段とを備え、停止表示された各図柄が特定の組合せになると特定遊技価値が付与されるパチンコ機の図柄表示装置において、図柄変動中における前記入賞検出手段よりの信号を計数して記憶する入賞数記憶手段と、前記入賞数記憶手段が記憶している記憶数が所定数であることを判定して前記各図柄表示部の変動時間を短時間に変更する変動時間短縮手段と、変動停止時に前記図柄表示部に表示すべき図柄を予め決定するパチンコ機の図柄表示装置。」 
　　　　　
　である点で一致し、以下の点で相違する。 
　　　　 
＜相違点＞ 
　各図柄表示部の変動を、本願発明では高速、中速、低速と切り換え、図柄表示部の変動を高速変動から中速変動に切り換える際に、変動停止時に予め決定された表示すべき図柄よりも所定数前の図柄となるように表示指標の切換を行う表示指標切換手段を設けたのに対し、引用発明は、図柄表示部の変動を、高速、中速、低速と切り換えること、及び変動停止時に表示すべき図柄よりも所定数前の図柄となるように表示指標の切換を行う表示指標切換手段を有するか否か明示していない点。
　　　
２．相違点についての検討
＜相違点＞について
　図柄表示装置を有するパチンコ機の技術分野において、図柄表示部の変動を、高速、中速、低速と段階的に切り換えて行うことは、図柄変動の制御に多用される周知の技術（例えば、特開平４−１０９９８０号公報、以下の周知技術等参照）にすぎない。
　また、図柄表示部の変動を高速変動から中速変動に切り換える際に、変動停止時に予め決定された表示すべき図柄よりも所定数前の図柄となるように表示指標の切換を行う表示指標切換手段を設けることに関して検討すると、図柄の切換時期について、高速変動から中速変動に切り換える際に行わせることは、例えば、特開平４−２８３８５号公報（第１０頁右下欄第４行〜第１１頁左上欄第９行）、特開平４−２２３７８号公報（第８頁右上欄第１５行〜同頁左下欄第１７行参照）に記載されており、且つ、図柄の切換内容について、変動停止時に予め決定された表示すべき図柄よりも所定数前の図柄となるように切り換えることも、例えば、特開平３−７１８４号公報（第９頁左上欄第１２行〜同頁右上欄第１６行参照）、特開平３−５５０８２号公報（第７頁右下欄第２行〜第８頁左上欄第１１行参照）に記載されており、パチンコ機の分野において、図柄変動の制御に、上記のような時期・内容で図柄の切換技術が用いられることは、従来周知のものといえる。
　そうすると、引用発明と上記周知技術は、ともに図柄表示装置を有するパチンコ機の図柄の変動制御を行う点において技術分野が共通するから、引用発明に上記周知技術を各々適用し、図柄の変動を高速、中速、低速と切り換え、図柄の変動を高速変動から中速変動に切り換える際に、変動停止時に表示すべき図柄よりも所定数前の図柄となるように図柄の切換を行わせる手段を備えさせること、すなわち本願発明の相違点を構成することは、当業者であれば容易に想到できたことである。
 　　　
３．作用効果・判断
　そして、本願発明における作用効果は、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　
【４】むすび
　以上のとおり、本願発明は、引用発明及び周知技術に基づいて、当業者が容易に発明をすることができたものであるから、特許法第２９条第２項の規定により特許を受けることができないものであり、本願は拒絶すべきものである。
　よって、結論のとおり審決する。